(57)【特許請求の範囲】
【請求項１】
ラッピング端子（３ａ）にラッピングされたジャンパー線（２ａ）を取り外すアンラッピング作業に用いるための巻取型アンラッピング工具（１０）であって、
表面が開口面とされた箱形状のフレーム（１１）と、
該フレームの裏面を垂直に貫通するように該フレームに取り付けられた回転軸（１２）と、
該回転軸の先端部に取り付けられた作業端子先端部挿入部材（１３）と、
先端部が前記フレームの開口面から突出し、軸方向が前記回転軸の軸方向と平行になるとともに該回転軸を回転させると前記作業端子先端部挿入部材の周りを回転するように該回転軸に取り付けられた巻取ビット（１５）と、
前記フレーム内に収納可能に該フレームに取り付けられた筒形状のシャッター（１６）と、
該シャッターの先端面に取り付けられた切り刃（１７）と、
を具備することを特徴とする、巻取型アンラッピング工具。
【請求項２】
前記切り刃が、前記シャッターの先端面の前記フレームの裏面側から見て左側に取り付けられており、
前記巻取ビットが、前記作業端子先端部挿入部材の周りを前記フレームの裏面側から見て右回りに回転するにようにされている、
ことを特徴とする、請求項１記載の巻取型アンラッピング工具。
【請求項３】
隣接端子挿入部材（１１ａ）が、先端部が前記フレームの開口面よりも突出するように該フレームの表面側に取り付けられており、
前記ラッピング端子に隣接する隣接ラッピング端子（２ｂ）の先端部を挿入するための隣接端子先端部挿入孔（１１ｂ）が、前記隣接端子挿入部材の末端部に形成されている、
ことを特徴とする、請求項１または２記載の巻取型アンラッピング工具。
【請求項４】
シャッター移動用ボタン（１６ａ）が、前記シャッターの外周面の左右に取り付けられており、
前記シャッター移動用ボタンが前記フレームの前後方向に沿ってスライドできるようにするための窓（１１ｃ）が、該フレームの左右側面に形成されており、
前記窓の長さが、前記シャッター移動用ボタンが該窓の一端部に位置した状態では前記シャッターの大部分が前記フレーム内に収納されるとともに、前記シャッター移動用ボタンが該窓の他端部に位置した状態では前記シャッターの先端面が前記隣接端子挿入部材の先端面と同一平面上となる位置まで前記フレームから突出するような長さとされている、
ことを特徴とする、請求項３記載の巻取型アンラッピング工具。
【請求項５】
前記回転軸の先端部側に取り付けられた、かつ、前記巻取ビットの回転数を調整するための減速機（１４）をさらに具備することを特徴とする、請求項１乃至４いずれかに記載の巻取型アンラッピング工具。
【請求項６】
前記巻取ビットが、前記減速機を介して前記回転軸と連結されており、
前記巻取ビットが、先端面に向けて径が小さくなるようなテーパが先端部に付けられた円柱形状とされており、
前記巻取ビットの先端部の中央部に、前記ラッピング端子から配線されている前記ジャンパー線を嵌入するためのＶ字状溝が形成されている、
ことを特徴とする、請求項５記載の巻取型アンラッピング工具。
【請求項７】
爪板が、前記シャッターの内側に向けて該シャッターの末端面に取り付けられていることを特徴とする、請求項１乃至６いずれかに記載の巻取型アンラッピング工具。
【請求項８】
前記シャッター移動用ボタンを前記フレーム内に押し込むことにより、前記シャッターを該フレームから抜き出すことができるようにされていることを特徴とする、請求項７記載の巻取型アンラッピング工具。
【発明の詳細な説明】
【技術分野】
【０００１】
本発明は、中間配線盤におけるジャンパー線のアンラッピング作業などに用いるのに好適な巻取型アンラッピング工具に関する。
【背景技術】
【０００２】
従来、複数組の通信装置間を接続するために、多数本のラッピング端子（金属ピン）が格子状に配置された中間配線盤（ＩＤＦ：Intermediate Distribution Frame）が用いられている。
【０００３】
このような中間配線盤では、図４（ａ）および図５（ａ）に示すように、多数本のラッピング端子２（以下、「端子２」と称する。）が絶縁板１（ブロック）の表面および裏面に狭い間隔で等間隔に格子状に設けられており、絶縁板１の裏面に配置された端子２に通信線を巻き付けて中間配線盤と通信装置とを接続するとともに絶縁板１の表面に配置された端子２にジャンパー線３をラッピングすることにより、通信装置間を接続している。
【０００４】
近年、通信装置の取替に伴う大規模な通信ケーブル端末撤去作業を中間配線盤で行うことが増加傾向にあり、端子２にラッピングされたジャンパー線３を取り外す際には、アンラッピング機能を備えた市販の電動ラッピングツールを用いている。
【０００５】
なお、下記の特許文献１には、動力用バネの弾発力によってエンドレスベルトを牽引して両プーリを回転させる動力部の一方のプーリに連繋されて回転する駆動シャフトの先端にラッピング工具・アンラッピング工具を着脱可能に取り付けてアンラッピング工具を自動的に反時計回りに回転させることにより、ラッピング端子に巻き付けられたジャンパー線の芯線を簡単に取り外せるようにしたラッピング・アンラッピングツールが開示されている。
下記の特許文献２には、ホールドスリーブの一端に固定したコイルスプリングをシャフトに伸縮自在に取り付けることにより、ホールドスリーブにより破損した線材を取り除くとともにビット部の破損を防ぐようにした破損防止付アンラッピング工具が開示されている。
下記の特許文献３には、少なくとも平形ラッピング端子の長方形断面の短辺長の間隔を隔てて相対峙した一対の抑え撥条板を空転自在に中空孔の軸線方向に並行内在させることにより、平形ラッピング端子の場合であってもラッピング線が途中で折れてしまったりラッピング端子をねじり曲げたりすることを防止できるようにしたアンラップ工具が開示されている。
下記の特許文献４には、先端部に導線ラッピング部が出入りする孔を備えたサイドカバーの先端から捕捉棒の先端に至る長さを導線ラッピング部の長さ以下とするとともにサイドカバーの内面と捕捉棒の先端部との間隙を導線の直径より広くすることにより、ジャンパー線の配線・変更作業の作業性を損なうことなく隣接するラッピングポストとの短絡を防止できるようにしたラッピングツールが開示されている。
下記の特許文献５には、円筒形状ビットの先端部を略半円環状に形成して電線の巻き始め部から取り外すことにより、作業性の向上を図れるようにしたラッピング電線の巻き戻し工具が開示されている。
下記の特許文献６には、第１のスリーブより突出するビット上に挿入した第２のスリーブの一端部を接着するとともに他端部に長手方向に溝部を設けて芯線の巻き始め部から取り外すことにより、作業性の向上を図れるようにしたアンラップ工具が開示されている。
【先行技術文献】
【特許文献】
【０００６】
【特許文献１】特開２０１０−２３８５５６号公報
【特許文献２】実開昭６４−１６０８７号公報
【特許文献３】実開平３−６０７９２号公報
【特許文献４】特開２０１４−４４９１０号公報
【特許文献５】実開平１−９３８６号公報
【特許文献６】実開平２−１０７２１０号公報
【発明の概要】
【発明が解決しようとする課題】
【０００７】
しかしながら、市販の電動ラッピングツールでは、アンラッピング機能を用いて端子２に巻き付けられたジャンパー線３の芯線を緩めることはできても撤去することができないという問題があるとともに、作業員は無理な作業姿勢で行う手作業が多く肩および腕に疲労が蓄積して作業能率が低下するという問題があった。
【０００８】
なお、上記の特許文献１〜４に開示されたラッピング・アンラッピングツールなどでは、ラッピング端子に巻き付けられた電線の巻き戻しや隣接するラッピング端子との電気的短絡防止はできるが、駆動方式が手回しおよびバネ駆動であるため、作業能率の向上に課題が残っているという問題がある。
上記の特許文献５に開示されたラッピング電線の巻き戻し工具では、作業前に予め巻き始め部付近の電線を数ミリ残して切断する必要があるため、作業工程が増えて、巻き戻す端子数が多いほど作業能率の改善効果が低下するという問題と、巻き始め部付近の電線を数ミリ残して切断する場所は狭隘であり熟練した技術が必要であるという問題とがある。また、筒状ビットを回転させて端子と電線との間にクサビとして割り込んで巻き戻しするため、巻き戻された電線に癖が残り、巻き付け案内ガイドがないためビットの外周に規則的に巻き付けることが不安定になるという問題と、ビットの外周に巻き付いた電線が隣接するラッピング端子に接触する対策が不足しているという問題とがある。
上記の特許文献６に開示されたアンラップ工具では、作業前に予め巻き始め部付近の電線を切断する必要があるため、作業工程が増えて、巻き戻す端子数が多いほど作業能率の改善効果が低下するという問題がある。また、筒状ビットを回転させてラッピング端子の電線を巻き戻して内部に取り込むため、巻き戻された電線に癖が残り、巻き終わり部まで緩めることが不足したり途中で断線したりする恐れがあるという問題と、電線が途中で断線した場合には狭隘な内部に閉じ込められて排出が困難になるという問題がある。
【０００９】
本発明の目的は、アンラッピング作業の効率化を図ることができる巻取型アンラッピング工具を提供することにある。
【課題を解決するための手段】
【００１０】
本発明の巻取型アンラッピング工具は、ラッピング端子（３ａ）にラッピングされたジャンパー線（２ａ）を取り外すアンラッピング作業に用いるための巻取型アンラッピング工具（１０）であって、表面が開口面とされた箱形状のフレーム（１１）と、該フレームの裏面を垂直に貫通するように該フレームに取り付けられた回転軸（１２）と、該回転軸の先端部に取り付けられた作業端子先端部挿入部材（１３）と、先端部が前記フレームの開口面から突出し、軸方向が前記回転軸の軸方向と平行になるとともに該回転軸を回転させると前記作業端子先端部挿入部材の周りを回転するように該回転軸に取り付けられた巻取ビット（１５）と、前記フレーム内に収納可能に該フレームに取り付けられた筒形状のシャッター（１６）と、該シャッターの先端面に取り付けられた切り刃（１７）とを具備することを特徴とする。
ここで、前記切り刃が、前記シャッターの先端面の前記フレームの裏面側から見て左側に取り付けられており、前記巻取ビットが、前記作業端子先端部挿入部材の周りを前記フレームの裏面側から見て右回りに回転するにようにされていてもよい。
隣接端子挿入部材（１１ａ）が、先端部が前記フレームの開口面よりも突出するように該フレームの表面側に取り付けられており、前記ラッピング端子に隣接する隣接ラッピング端子（２ｂ）の先端部を挿入するための隣接端子先端部挿入孔（１１ｂ）が、前記隣接端子挿入部材の末端部に形成されていてもよい。
シャッター移動用ボタン（１６ａ）が、前記シャッターの外周面の左右に取り付けられており、前記シャッター移動用ボタンが前記フレームの前後方向に沿ってスライドできるようにするための窓（１１ｃ）が、該フレームの左右側面に形成されており、前記窓の長さが、前記シャッター移動用ボタンが該窓の一端部に位置した状態では前記シャッターの大部分が前記フレーム内に収納されるとともに、前記シャッター移動用ボタンが該窓の他端部に位置した状態では前記シャッターの先端面が前記隣接端子挿入部材の先端面と同一平面上となる位置まで前記フレームから突出するような長さとされていてもよい。
前記回転軸の先端部側に取り付けられた、かつ、前記巻取ビットの回転数を調整するための減速機（１４）をさらに具備してもよい。
前記巻取ビットが、前記減速機を介して前記回転軸と連結されており、前記巻取ビットが、先端面に向けて径が小さくなるようなテーパが先端部に付けられた円柱形状とされており、前記巻取ビットの先端部の中央部に、前記ラッピング端子から配線されている前記ジャンパー線を嵌入するためのＶ字状溝が形成されていてもよい。
爪板が、前記シャッターの内側に向けて該シャッターの末端面に取り付けられていてもよい。
前記シャッター移動用ボタンを前記フレーム内に押し込むことにより、前記シャッターを該フレームから抜き出すことができるようにされていてもよい。
【発明の効果】
【００１１】
本発明の巻取型アンラッピング工具は、以下に示す効果を奏する。
（１）シャッターを閉じて切り刃でジャンパー線を切断したのちに巻取ビットを作業端子先端部挿入部材の周りを回転させることにより、ラッピング端子に巻き付けられたジャンパー線の芯線を巻取ビットに巻き付けていくことができるため、ジャンパー線をラッピング端子から容易に取り外すことができ、アンラッピング作業の効率化を図ることができる。
（２）通信装置の取替に伴う大規模な通信ケーブル端末撤去作業における作業者の疲労軽減および作業の効率化を図ることができる。
（３）既設の中間配線盤などにも適用することができる。
（４）汎用の電動ドリル（電動ドライバ）を利用することにより低廉なコストで導入することができる。
【図面の簡単な説明】
【００１２】
【図１】本発明の一実施例による巻取型アンラッピング工具１０の構成について説明するための図である。
【図２】図１に示した巻取ビット１５の機能について説明するための図である。
【図３】図１に示した切り刃１７の機能について説明するための図である。
【図４】中間配線盤におけるジャンパー線３のラッピングされた状態について説明するための図である。
【図５】図１に示した巻取型アンラッピング工具１０を用いたアンラッピング作業の手順について説明するための図である。
【発明を実施するための形態】
【００１３】
上記の目的を、シャッターを閉じて切り刃でジャンパー線を切断したのちに巻取ビットを作業端子先端部挿入部材の周りを回転させることにより、ラッピング端子に巻き付けられたジャンパー線の芯線を巻取ビットに巻き付けていく構成とすることにより実現した。
【実施例１】
【００１４】
以下、本発明の巻取型アンラッピング工具の実施例について図面を参照して説明する。
なお、以下の説明では、アンラッピング作業の対象となるジャンパー線３を「作業ジャンパー線３ａ」と称し、作業ジャンパー線３ａの芯線が巻き付けられた端子２を「作業端子２ａ」と称し、作業端子２ａの真下に配置された端子２を「隣接端子２ｂ」と称する（図４（ａ）参照）。
【００１５】
本発明の一実施例による巻取型アンラッピング工具１０（以下、「アンラッピング工具１０」と称する。）は、図１（ａ），（ｂ）に示すように、フレーム１１と、回転軸１２と、作業端子先端部挿入部材１３と、減速機１４（減速ギア）と、巻取ビット１５と、シャッター１６と、切り刃１７とを具備する。
【００１６】
ここで、フレーム１１は、表面の上部が開口面とされた矩形箱形状を有する。
フレーム１１の表面側の下部には、円筒状の隣接端子挿入部材１１ａが、先端部がフレーム１１の開口面よりも突出するように取り付けられている。
隣接端子挿入部材１１ａの末端部には、隣接端子先端部挿入孔１１ｂが、アンラッピング工具１０を中間配線盤に装着すると隣接端子２ｂの先端部が挿入されるように形成されている（図５（ａ）参照）。
【００１７】
回転軸１２は、矩形棒状の形状を有し、フレーム１１の裏面を垂直に貫通するようにフレーム１１にベアリング（不図示）を介して取り付けられている。
また、回転軸１２は、図１（ｅ）に示すように、電動ドリル５１のビットの先端部を回転軸１２の末端部に挿入した状態で電動ドリル５１を駆動することにより回転される。
したがって、電動ドリル５１のビットとしては、回転軸１２の末端部を挿入するための矩形状の挿入孔が先端部に形成されたものを用いる。
【００１８】
作業端子先端部挿入部材１３は、アンラッピング工具１０を中間配線盤に装着すると作業端子２ａの先端部が挿入されるように、回転軸１２の先端部に取り付けられている（図５（ａ）参照）。
なお、作業端子先端部挿入部材１３は、回転軸１２が回転しても回転しないようにベアリング（不図示）を介して回転軸１２の先端部に取り付けられている。
【００１９】
減速機１４は、巻取ビット１５の回転数を調整したり巻取ビット１５を自由に移動させたりする機能を持たせるためのものであり、回転軸１２の作業端子先端部挿入部材１３とフレーム１１の裏面との間に取り付けられている。
ここで、減速機１４の減速比は、作業端子２ａおよび作業ジャンパー線３ａに与えるストレスを抑制するために巻取ビット１５の回転数を180min-1（毎秒３回転）の超低速とする必要があるが、電動ドリル５１としては回転数が500min-1以下の低速のもの、回転数が1000min-1以下の高速のものおよび無段変速機能を備えて最大回転数以下に調整可能なものなどがあるため、電動ドリル５１の回転数に応じた値（たとえば、１〜２）に設定される。
【００２０】
巻取ビット１５は、先端部がフレーム１１の開口面から突出し、かつ、先端面が隣接端子挿入部材１１ａの先端面よりもフレーム１１の開口面側に位置するように、かつ、軸方向が回転軸１２の軸方向と平行になるように、末端部が減速機１４に取り付けられている。
また、巻取ビット１５は、電動ドリル５１によって回転軸１２を回転させると、回転軸１２を中心に作業端子先端部挿入部材１３の周りをフレーム１１の裏面側から見て右回りに回転する（図１（ｂ）の破線参照）ように、減速機１４を介して回転軸１２と連結されている。
【００２１】
巻取ビット１５は、図２（ｂ）に示すように、作業端子２ａから取り外した作業ジャンパー線３ａの芯線を巻取ビット１５の外周に確実に巻き付けられるように円柱形状とされているが、巻取ビット１５の先端部は、巻き付けられた作業ジャンパー線３ａの芯線を容易に取り除くことができるように、先端面に向けて径が小さくなるようにテーパが付けられている（図２（ｃ），（ｄ）参照）。
巻取ビット１５の先端部の中央部には、図２（ａ）に示すように、作業ジャンパー線３ａを嵌入するためのＶ字状溝が形成されている。
【００２２】
シャッター１６は、アンラッピング作業時に作業端子２ａと作業端子２ａを取り囲む端子２とを電気的に絶縁するためのものであり、円筒形状を有する。
ただし、シャッター１６の末端面（フレーム１１の裏面側の面）には、爪板が、シャッター１６の内側に向けてシャッター１６の外周面と垂直に一体的に取り付けられている。
【００２３】
シャッター１６の外周面の左右には、図１（ａ）に示すように、シャッター移動用ボタン１６ａが取り付けられているとともに、フレーム１１の左右側面には、図１（ｃ），（ｄ）に示すように、シャッター移動用ボタン１６ａをフレーム１１の前後方向に沿ってスライドさせるための窓１１ｃが形成されている。
窓１１ｃの長さは、図１（ｃ）に示すようにシャッター移動用ボタン１６ａが窓１６ａの末端部（フレーム１１の裏面側の端部）に位置した状態ではシャッター１６の大部分がフレーム１１内に収納され、図１（ｄ）に示すようにシャッター移動用ボタン１６ａが窓１６ａの先端部に位置した状態ではシャッター１６の先端面が隣接端子挿入部材１１ａの先端面と同一平面上となる位置までフレーム１１から突出するような長さとされている。
これにより、アンラッピング工具１０を使用しないときにはシャッター１６の大部分をフレーム１１内に収納することができるとともに、アンラッピング作業時にはシャッター１６をフレーム１１から突出させて作業端子３ａを取り囲む端子３との電気的接触を防止することができる。
また、シャッター移動用ボタン１６ａをフレーム１１内に押し込むことにより、シャッター１６をフレーム１１から抜き出すことができるようにされている。
【００２４】
切り刃１７は、図３に示すように先端面が縦方向の刃先とされたセンター刃であり、図１（ａ）に示すようにシャッター１６の先端面のフレーム１１の裏面側から見て左側に取り付けられている。
切り刃１７をシャッター１６の外周面のフレーム１１の裏面側から見て左側に取り付けている理由は、中間配線盤においてジャンパー線３を端子２に順手で巻き付ける場合には、電動ラッピングツール（回転数＝3700min-1）のジャンパー線挿入穴は常に上に止まるように構成されているためにジャンパー線３は上向きに端子２に巻き付けられることから、ジャンパー線３を中間配線盤に向かって左側に曲げて他のジャンパー線３と結束固定しているので（図４（ａ）参照）、アンラッピング作業時にシャッター１６をフレーム１１から突出させると切り刃１７で巻き始め部付近の作業ジャンパー線３ａを切断することができるようにするためである（図３参照）。
【００２５】
ただし、中間配線盤においてジャンパー線３を端子２に順手ではなく逆手で巻き付ける場合もあり、この場合には、電動ラッピングツールを逆さにしてジャンパー線３を端子２に巻き付けるので、電動ラッピングツールのジャンパー線挿入穴は常に下に止まるためにジャンパー線３は下向きに端子２に巻き付けられることから、ジャンパー線３を中間配線盤に向かって右側に曲げて他のジャンパー線３と結束固定している（図４（ｂ）参照）。
したがって、この場合には、アンラッピング工具１０を上下逆さにして使用することにより、切り刃１７で巻き始め部付近の作業ジャンパー線３ａを切断することができるようにするため、図４（ａ）に示したように作業端子２ａの真下に配置された端子２を隣接端子２ｂとする代わりに、図４（ｂ）に示すように作業端子２ａの真上に配置された端子２を隣接端子２ｂ’とする。
【００２６】
次に、アンラッピング工具１０を用いたアンラッピング作業の手順について、図５（ａ）〜（ｄ）を参照して説明する。
（１）巻取準備作業
作業員は、図５（ａ）に示すように、作業端子２ａの先端部と作業端子先端部挿入部材１３との位置合せを目視で確認するためにシャッター１６をフレーム１１内に収納した状態で隣接端子２ｂを隣接端子挿入部材１１ａに挿入しながら、隣接端子挿入部材１１ａの先端面が中間配線盤の絶縁板１に当接するまでアンラッピング工具１０を押し込む。
これにより、作業端子２ａの先端部が作業端子先端部挿入部材１３に挿入され、隣接端子２ｂが隣接端子挿入部材１１ａに挿入されるとともに、隣接端子２ｂの先端部が隣接端子先端部挿入孔１１ｂに挿入されて、アンラッピング工具１０が中間配線盤に装着される。
このとき、作業員は、後述する巻取作業で巻き始め部付近の作業ジャンパー線３ａを切り刃１７で切断することができるように、作業ジャンパー線３ａを巻取ビット１５のＶ字状溝に嵌入して、巻取ビット１５をフレーム１１の裏面から見て左側に位置させたのち、作業ジャンパー線３ａに沿ってアンラッピング工具１０を押し込む。
なお、図５（ａ）〜（ｃ）では、図面を見易くするために、巻取ビット１５はフレーム１１の裏面から見て上側に位置するように図示している。
【００２７】
続いて、作業員は、図５（ｂ）に示すように、回転軸１２の末端部を電動ドリル５１のビットの先端部に挿入させて、電動ドリル５１をアンラッピング工具１０に装着する。
【００２８】
（２）巻取作業
作業員は、シャッター移動用ボタン１６ａをスライドさせて、シャッター１６を絶縁板１に向かって押し込む（図５（ｂ）の矢印参照）。
これにより、巻き始め部付近の作業ジャンパー線３ａが絶縁板１と切り刃１７とによって挟まれて切断される（図３参照）。
【００２９】
続いて、作業員は、図５（ｃ）に矢印および破線で示すように、電動ドリル５１を回転させて回転軸１２を介して巻取ビット１５をフレーム１１の裏面側から見て右回りに回転させる。
これにより、図２（ｃ），（ｄ）に示すように、作業端子２ａに巻き付けられた作業ジャンパー線３ａの芯線を巻き始め部から緩めて巻取ビット１５にその先端部から末端部に向かって規則的に巻き付けていくことができる。
【００３０】
（３）作業ジャンパー線３ａの芯線屑の廃棄作業
作業員は、作業ジャンパー線３ａの芯線がすべて巻取ビット１５に巻き付けられると、電動ドリル５１をアンラッピング工具１０から取り外したのち、アンラッピング工具１０を手前に引いて中間配線盤から取り除く。
【００３１】
続いて、作業員は、図５（ｄ）に示すように、シャッター移動用ボタン１６ａを押し込みながらシャッター１６をフレーム１１と反対側に引いてフレーム１１から引き抜く。
これにより、巻取ビット１５に巻き付いている作業ジャンパー線３ａの芯線がシャッター１６の爪板によって巻取ビット１５の先端部から押し出されるため、芯線屑を容易に廃棄することができる。
【００３２】
以上の説明では、シャッター１６の爪板を用いて作業ジャンパー線３ａの芯線屑の廃棄作業を行ったが、作業員が手で行うなど他の方法で行ってもよい。
この場合には、爪板は不要となるため、シャッター１６は円筒形状とすればよい。
【符号の説明】
【００３３】
１  絶縁板
２  端子
２ａ  作業端子
２ｂ，２ｂ’  隣接端子
３  ジャンパー線
３ａ  作業ジャンパー線
１０  アンラッピング工具
１１  フレーム
１１ａ  隣接端子挿入部材
１１ｂ  隣接端子先端部挿入孔
１１ｃ  窓
１２  回転軸
１３  作業端子先端部挿入部材
１４  減速機
１５  巻取ビット
１６  シャッター
１６ａシャッター移動用ボタン
１７  切り刃
５１  電動ドリル
【図１】
0005917647.tif 000002
【図２】
0005917647.tif 000003
【図３】
0005917647.tif 000004
【図４】
0005917647.tif 000005
【図５】
0005917647.tif 000006